(57)【特許請求の範囲】
【請求項１】
吐水口近傍に屈曲する流路を有する給水栓の吐水管において、前記屈曲部分の流路に、流体を正面から衝突させて吐水口方向に導く整流部を、流路の内側面との間に間隙を介すると共に流路の上面から吐水管内に前記吐水管と一体的に成形されて垂下する平板状の垂下体として設けたことを特徴とする給水栓の吐水管。
【請求項２】
前記屈曲部分の角度が鋭角であることを特徴とする請求項１に記載の給水栓の吐水管。
【発明の詳細な説明】
【０００１】
【発明の属する技術分野】
本各発明は、吐水口近傍に屈曲する流路を有する給水栓の吐水管に関する。
【０００２】
【従来の技術】
給水栓には、水や混合された湯水（以下単に流体という）を吐水するための吐水管が設けられている。この吐水管は、給水栓本体から突設されると共に先端部が下方に屈曲した形状とされており、内部には、吐水口の近傍に屈曲する流路を有するのが一般的である。
【０００３】
【発明が解決しようとする課題】
しかしながら、従来の吐水管にあっては、図２（ａ）に示すように、流体の流れ方向が吐水口近傍の屈曲部分によって急激に変更されるため、吐水口の前側では後ろ側に比して流速が速くなり、吐水口からの吐水が前方に傾き、均一な円柱状の吐水が得られないという問題があった。特に、内部の流路が細い或いは給水圧力が高い場合、また、流路が急激に大きく屈曲する場合には、上述の問題が顕著に生じていた。
【０００４】
ところで、この問題を解決しようとした技術として、特開平３−２７５８２４号公報に開示されたものがある。これは、図２（ｂ）に示すように、屈曲部分の流路に屈曲方向に沿って案内板を設け、流体を吐水口の真下へと導くようにしたものである。しかしながら、このような案内板によると、吐水が前後方向に幾つかの層に分断されしまい、理想とする均一な円柱状の吐水を得ることができない。また、吐水口の前側ほど流速が速くなるため、分断された層の前側ほど流量が多く、吐水口の前後方向に流量の差が生じ、吐水口全体で均一な吐水を得ることができない。
【０００５】
本各発明は、このような問題を解決するためになされたものであり、その目的とするところは、吐水口から均一な円柱状の吐水を得ることにあり、吐水口の前後方向での流量をより一層均一化し、しかも、構造も簡略化することを目的とする。また、請求項２の発明については、吐水口近傍で流路が大きく屈曲して吐水が不均一になり易い吐水管であっても、均一な円柱状の吐水が得られるようにすることを目的とする。
【０００６】
【課題を解決するための手段】
以上の課題を解決するために本各発明の採った手段を、図面に使用する符号を付して説明すると、まず、請求項１の発明は、「吐水口２０近傍に屈曲する流路を有する給水栓の吐水管１０において、前記屈曲部分の流路に、流体を正面から衝突させて吐水口方向に導く整流部３０を、流路の内側面１１との間に間隙４０を介すると共に流路の上面１２から吐水管内に前記吐水管１０と一体的に成形されて垂下する平板状の垂下体として設けたことを特徴とする給水栓の吐水管１０」である。
【０００７】
本発明では、流路内の流体を吐水口２０方向へと導く整流部３０を設けることにより、吐水口２０からの吐水の均一化を図るばかりでなく、整流部３０と流路の側面１１とに間隙４０を設けることにより、整流部３０よりも吐水管１０先端側へも流体が流通可能となっている。これにより、整流部３０の後ろ側と前側とで流体が分断されることはなく、吐水口２０からの吐水は、前後に分断された層を生じることなく理想的な均一な円柱状の形態となる。
【０００８】
また、整流部３０が流路の上面１２から吐水管内に前記吐水管と一体的に成形されて垂下する垂下体であり、整流部３０の上部は流路の上面に接続されたものとなっている。これにより、流体は、整流部３０の上方から流れて整流部３０によって分断されることがなく、吐水口２０からの吐水の前後方向での流量のバラツキをより一層抑えることができる。さらに、整流部３０を吐水管１０と一体的に成形して垂下体とすることにより、構造の簡略化を図ることができる。
【０００９】
最後に、請求項２の発明は、「前記屈曲部分の角度が鋭角であることを特徴とする請求項１に記載の給水栓の吐水管１０」である。
【００１０】
本発明は、屈曲部分の角度が鋭角、すなわち９０゜未満の角度である吐水管１０を前提としたものであり、吐水が不均一になるといった問題が顕著に生じる吐水管１０であっても、理想的な均一な円柱状の吐水を得ることができる。
【００１１】
【発明の実施の形態】
次に、本各発明の実施の形態を、図面に従って詳細に説明する。図１に、本各発明の実施の形態の一例を示す。吐水管１０は、給水管に接続されて水を吐水する単水栓、或いは、給水管及び給湯管に接続されて混合した湯水を吐水する湯水混合栓等の図示しない給水栓の本体に突設されている。この吐水管１０の先端は、屈曲して垂下した形状とされており、垂下した部分の下面には、吐水管１０の内部の流路と連通する吐水口２０が設けられている。
【００１２】
吐水管１０内部の流路は、請求項２の発明の如く、吐水口２０近傍にて鋭角に屈曲しており、この屈曲部分には、給水栓本体からの水や湯水等の流体を吐水口２０へと導く整流部３０が設けられている。また、この整流部３０の側方には、吐水管１０の流路の側面１１との間に流体が流通可能な間隙４０が形成されている。ここで、本例において整流部３０は、請求項１の発明の如く、流路の上面１２から吐水管内に垂下するように設けられており、また、吐水管１０と一体的に成形されている。そして、その形状は、流路方向に対して略直角に交差する平板状とされている。このような形態の整流部３０により、吐水管１０の流路の中央部の流体（イ）は、整流部３０に正面から衝突して下方の吐水口２０へと導かれると共に吐水口２０の後ろ側から吐水され、流路の両側部の流体（ロ）は、一部が整流部３０の側方から吐水口２０へと流れ、残り部分が前記間隙４０を通過して吐水管１０の先端側に流れて各々吐水口２０の側方及び前側から吐水される。よって、吐水口２０全体としての吐水は、前後方向に分断されずに理想的な均一な円柱状の形態となる。
【００１４】
以上、本各発明の実施の形態の一例を示したが、本各発明はこれに限らず、その要旨を逸脱しない範囲で適宜変更してもよい。例えば、請求項１の発明においては、鋭角に屈曲した流路を有する吐水管１０に限らず、９０°或いは鈍角に屈曲する流路を有する吐水管であってもよい。
【００１５】
また、本各発明によって吐水管１０内の流体を整流することができ、吐水口２０に何らの器具も装着せずに使用できるが、さらなる整流を図る場合には、吐水口２０に、ステンレス鋼の薄板材を波形に湾曲してこれを星形に巻回した公知の整流板や、ステンレス鋼の細線材により網を形成してこれを平板状にした公知の整流網等を装着してもよい。
【００１６】
【発明の効果】
以上詳述したように、本各発明によれば、吐水口から均一な円柱状の吐水を得ることができるとともに、吐水口の前後方向での流量をより一層均一化することができ、しかも、構造も簡略化することができる。また、請求項２の発明によれば、吐水口近傍で流路が大きく屈曲して吐水が不均一になり易い吐水管であっても、均一な円筒状の吐水を得ることができる。
【図面の簡単な説明】
【図１】（ａ）は本各発明に係る吐水管の一例を示す縦断面側面図であり、（ｂ）は（ａ）のＡ−Ａ断面図である。
【図２】（ａ）は従来の吐水管の一例を示す縦断面側面図であり、（ｂ）は従来の吐水管の別の例を示す縦断面側面図である。
【符号の説明】
１０：吐水管、２０：吐水口、３０：整流部、４０：間隙、５０：キャップ
【図１】
0003605784.tif 000002
【図２】
0003605784.tif 000003